(57)【要約】【課題】小型化しやすく、且つ、振動を抑えて安定して操作できる釣り用スピニングリールを提供すること。【解決手段】リール本体と、リール本体に取り付けられているクランクと、メインシャフトと、管状ワームと、ローターと、スプールユニットと、回転シャフト３２と、連動ユニット３３と、カム手段と、案内ユニット４０と、を備え、カム手段は回転シャフト３２と連動ユニット３３との間に介在して回転シャフト３２の回転運動を連動ユニット３３の往復運動に変換し、案内ユニット４０の案内スリーブ４１は回転シャフト３２と連動ユニット３３との間に介在して回転シャフト３２の回転運動により駆動される連動ユニット３３の往復移動を案内して安定する。【選択図】図６
2019201639.tif 000002
【特許請求の範囲】
【請求項１】
リール本体と、
回転可能に前記リール本体の外表面に取り付けられるクランクと、
前記クランクにより所定の第１の軸線を回転軸として回転するよう、前記リール本体内に配置されるメインシャフトと、
前記メインシャフトにより、所定の第２の軸線を回転軸として回転駆動されるように配置構成される管状ワームと、
前記管状ワームと共に前記第２の軸線を回転軸として回転するように配置構成されるローターと、
前記第２の軸線に沿って前記管状ワーム内を通過するように延伸し、両端に第１のロッド端部と第２のロッド端部とを有するスプールロッドと、前記スプールロッドの前記第１のロッド端部に取り付けられて該スプールロッドと共に移動するスプール手段と、を有するスプールユニットと、
前記管状ワームにより、前記第２の軸線に平行し且つ距離を置いて配置される所定の第３の軸線を回転軸として回転駆動されるように配置構成される回転シャフトと、
前記第１のロッド端部に連結して前記スプールユニットと共に前記第２の軸線に沿って移動できる第１の連動部及び前記第３の軸線に沿って延伸し、前記回転シャフトが通過する通孔を囲む内周面を有する第２の連動部を有するように形成された連動ユニットと、
前記回転シャフトの外周面に形成されるカム溝及び前記通孔内に配置されて前記カム溝に嵌合して連動するカム従動子を有し、前記回転シャフトが回転駆動されると、カム手段及び前記カム従動子の連動により前記第２の連動部が前記回転シャフトに対して前記第３の軸線に沿って往復移動させると共に、前記第１の連動部及び前記スプールユニットを前記ローターに対して前記第２の軸線に沿って往復移動させるように構成されるカム手段と、
前記回転シャフトと前記連動ユニットの前記第２の連動部との間に配置され、前記第２の連動部に連結されて前記連動ユニットと共に移動し、且つ、前記第２の連動部を前記回転シャフトと共に回転させないように阻止することにより、前記連動ユニットの前記回転シャフトに対する相対移動が安定するよう案内する案内スリーブを有する案内ユニットと、
を備えることを特徴とする釣り用スピニングリール。
【請求項２】
前記第１の軸線の延伸方向を左右方向とし、前記第２の軸線の延伸方向を前後方向とすると、
前記ローターは前記リール本体の前方側に配置され、
前記スプール手段は更に前記ローターの前方側に配置されることを特徴とする請求項１に記載の釣り用スピニングリール。
【請求項３】
前記案内スリーブは、
前記第２の連動部の前方に配置される前拡大端部と、
前記通孔内に収容され、且つ、前記カム従動子が通過して前記カム溝にアクセスできるアクセス穴が形成されるスリーブ部と、を有しており、
前記案内ユニットは更に
前記前拡大端部と前記第２の連動部との間に介在して前記前拡大端部を前記第２の連動部から離れさせる付勢力を前記前拡大端部及び前記第２の連動部に与えることにより、前記案内スリーブが連動ユニットの往復移動を安定させる案内効果を発揮するよう、前記スリーブ部に取り付けられている付勢バネを更に有していることを特徴とする請求項２に記載の釣り用スピニングリール。
【請求項４】
前記案内スリーブの前記スリーブ部は、
前記第２の連動部の前記通孔内に配置され、且つ、前記アクセス穴が形成されている中間部と、
前記中間部から外側及び後側へ張り出して前記通孔より径が少し広くなるように形成された後端部と、
いずれも前記第３の軸線と間を空けるように前記後端部から前記中間部に延伸するように形成される複数のスリットと、が形成されており、
前記後端部が前記第２の連動部の内周面に摩擦接触することにより、前記スリーブ部を通孔内に保持できることを特徴とする請求項３に記載の釣り用スピニングリール。
【請求項５】
前記第２の連動部の前記内周面は、主表面エリアと、前記主表面エリアへ収束する後周縁エリアとを有するように形成され、前記通孔内において前記案内スリーブの後端部を締め付けて前記内周面に摩擦接触させることを特徴とする請求項４に記載の釣り用スピニングリール。
【請求項６】
前記第２の連動部には、前記通孔と連通し、且つ、前記第３の軸線に沿って放射状に延伸する放射状穴が形成されており、
前記カム溝は渦巻き状に延伸する溝に形成されており、
前記カム従動子は、回転可能に前記放射状穴内に取り付けられていると共に、前記通孔内に延伸して前記カム溝に嵌合する従動端部を有していることを特徴とする請求項１に記載の釣り用スピニングリール。
【請求項７】
前記第１の連動部にはスプラインホールが形成されており、
前記スプールロッドの前記第１のロッド端部は、前記スプラインホールに嵌め込まれていることを特徴とする請求項１に記載の釣り用スピニングリール。
【請求項８】
前記メインシャフトと共に前記第１の軸線を回転軸として回転可能に前記メインシャフトに取り付けられていると共に、前記管状ワームと噛み合って前記メインシャフトからの駆動力を前記管状ワームに伝達する出力ホイールと、
前記回転シャフトに取り付けられて前記回転シャフトと共に回転し、且つ、前記管状ワームと噛み合って前記管状ワームからの駆動力を回転シャフトに伝達するワーム手段と、を更に備えることを特徴とする請求項１に記載の釣り用スピニングリール。
【請求項９】
前記管状ワームは、
後管状端部と、前記第２の軸線の方向において該後管状端部の反対側にある前管状端部とを有し、
前記前管状端部は前記ローターに取り付けられて前記ローターは前記管状ワームと共に前記第２の軸線を中心として回転することを特徴とする請求項２に記載の釣り用スピニングリール。
【発明の詳細な説明】
【技術分野】
【０００１】
本発明は釣り用スピニングリールに関し、特に、案内ユニットを利用して連動ユニットの移動を安定させることができる釣り用スピニングリールに関する。
【背景技術】
【０００２】
特許文献１には、従来の釣り用スピニングリールの一例が示されている。該従来の釣り用スピニングリールは、リールユニットと、回転伝動手段と、ハンドル手段と、ローターと、スプールシャフトと、揺動手段と、スプールと、を備えている。該リールユニットは、第１の開口及び該第１の開口を覆う第１の蓋を有するリール本体を有している。該回転伝動手段は、回転可能にリールユニットに取り付けられているマスターギアシャフトと、該マスターギアシャフトと共に第１のシャフト軸を回転軸として回転するマスターギアと、を有している。該リール本体は、スプールシャフトのマスターギア側からマスターギアシャフトを回転可能に支持する第１の回転支持部を有している。該第１の蓋は、スプールシャフトの第１の蓋側からマスターギアシャフトを回転可能に支持する第２の回転支持部を有している。
【０００３】
また、図１には他の従来の釣り用スピニングリールが示されており、図示のように、この従来の釣り用スピニングリールは、リール本体１と、リール本体１に取り付けられている駆動ユニット２と、リール本体１内に取り付けられている揺動ユニット３と、リール本体１の前側に取り付けられているローター４と、ローター４の前側に取り付けられているスプール５と、を備えている。
【０００４】
駆動ユニット２は、回転可能にリール本体１に取り付けられているクランク２０１と、クランク２０１により回転駆動されるように取り付けられているメインシャフト２０２と、メインシャフト２０２に取り付けられている出力ホイール２０３と、出力ホイール２０３と噛み合うように取り付けられている管状ワーム２０４と、を有している。
【０００５】
揺動ユニット３は、管状ワーム２０４と噛み合うワーム手段３０１と、ワーム手段３０１に取り付けられている回転シャフト３０２と、回転シャフト３０２に平行となるように取り付けられている案内シャフト３０３と、案内シャフト３０３に可動状態で取り付けられている連動ユニット３０４と、連動ユニット３０４に連結され、且つ、管状ワーム２０４を挿通して前記スプール５に接続されているスプールロッド３０５と、を有している。回転シャフト３０２の外周面にカム溝３０６が形成され、連動ユニット３０４にはカム溝３０６と噛み合うカム従動子３０７が取り付けられている。
【０００６】
メインシャフト２０２がクランク２０１により回転駆動されると、カム溝３０６とカム従動子３０７との働きにより、連動ユニット３０４は案内シャフト３０３に案内されてスプールロッド３０５及びスプール５は往復移動するようになる。従って、釣り糸（図示せず）はローター４に案内されてスプール５に巻きつけられる。
【０００７】
しかし、案内シャフト３０３の存在は釣り用スピニングリールの小型化の邪魔になる可能性があり、そしてカム溝３０６とカム従動子３０７との働きにより連動ユニット３０４が傾いてスプールロッド３０５及びスプール５が上手く往復移動できない恐れがある。
【先行技術文献】
【特許文献】
【０００８】
【特許文献１】台湾特許第Ｉ３８９６３９号明細書
【発明の概要】
【発明が解決しようとする課題】
【０００９】
上記問題点に鑑みて、本発明は、小型化しやすく、且つ、振動を抑えて安定して操作できる釣り用スピニングリールを提供することを目的とする。
【課題を解決するための手段】
【００１０】
上記目的を達成すべく、本発明は、リール本体と、回転可能に前記リール本体の外表面に取り付けられるクランクと、前記クランクにより所定の第１の軸線を回転軸として回転するよう、前記リール本体内に配置されるメインシャフトと、前記メインシャフトにより、所定の第２の軸線を回転軸として回転駆動されるように配置構成される管状ワームと、 前記管状ワームと共に前記第２の軸線を回転軸として回転するように配置構成されるローターと、前記第２の軸線に沿って前記管状ワーム内を通過するように延伸し、両端に第１のロッド端部と第２のロッド端部とを有するスプールロッドと、前記スプールロッドの前記第１のロッド端部に取り付けられて該スプールロッドと共に移動するスプール手段を有するスプールユニットと、前記管状ワームにより、前記第２の軸線に平行し且つ距離を置いて配置される所定の第３の軸線を回転軸として回転駆動されるように配置構成される回転シャフトと、前記第１のロッド端部に連結して前記スプールユニットと共に前記第２の軸線に沿って移動できる第１の連動部及び前記第３の軸線に沿って延伸し、前記回転シャフトが通過する通孔を囲む内周面を有する第２の連動部を有するように形成された連動ユニットと、前記回転シャフトの外周面に形成されるカム溝及び前記通孔内に配置されて前記カム溝と嵌めあって連動するカム従動子を有し、前記回転シャフトが回転駆動されると、カム手段及び前記カム従動子の連動により前記第２の連動部が前記回転シャフトに対して前記第３の軸線に沿って往復移動させると共に、前記第１の連動部及び前記スプールユニットを前記ローターに対して前記第２の軸線に沿って往復移動させるように構成されるカム手段と、前記回転シャフトと前記連動ユニットの前記第２の連動部との間に配置され、前記第２の連動部に連結されて前記連動ユニットと共に移動し、且つ、前記第２の連動部を前記回転シャフトと共に回転させないように阻止することにより、前記連動ユニットの前記回転シャフトに対する相対移動を安定して案内する案内スリーブを有する案内ユニットと、を備える釣り用スピニングリールを提供する。
【発明の効果】
【００１１】
本発明は案内スリーブを用いて連動ユニットの回転シャフトと同軸である往復移動を案内するので、釣り用スピニングリール全体の小型化を図ることができる。
【図面の簡単な説明】
【００１２】
【図１】従来の釣り用スピニングリールの一例の構成が示される一部省略斜視図である。
【図２】本発明の釣り用スピニングリールの構成が示される一部省略斜視図である。
【図３】本発明の釣り用スピニングリールの構成が示される一部省略斜視図である。
【図４】本発明の釣り用スピニングリールの内部構成が示される一部省略斜視図である。
【図５】図４に示される構成の分解斜視図である。
【図６】図５に示される構成から更に一部が省略された分解斜視図である。
【図７】図４におけるVII−VII線に沿った断面図である。
【図８】図４におけるVIII−VIII線に沿った断面図である。
【図９】図７に示される構成の一部拡大図である。
【発明を実施するための形態】
【００１３】
以下では各図面を参照して、本発明の釣り用スピニングリールについて説明する。
【００１４】
図２は本発明の釣り用スピニングリールの構成が示される一部省略斜視図であり、図３は本発明の釣り用スピニングリールの構成が示される一部省略斜視図であり、図４は本発明の釣り用スピニングリールの内部構成が示される一部省略斜視図であり、図５は図４に示される構成の分解斜視図であり、図６は図５に示される構成から更に一部が省略された分解斜視図であり、図７は図４におけるVII−VII線に沿った断面図であり、図８は図４におけるVIII−VIII線に沿った断面図であり、図９は図７に示される構成の一部拡大図である。
【００１５】
図２から図６に示されているように、本発明の釣り用スピニングリールは、一例として、リール本体１０と、駆動ユニット２０と、揺動ユニット３０と、案内ユニット４０と、ローター５０と、スプールユニット６０と、を備えている。 
【００１６】
駆動ユニット２０はリール本体１０に取り付けられており、クランク２１と、メインシャフト２２と、管状ワーム２４と、を有している。
【００１７】
クランク２１はリール本体１０の外表面に回転可能に取り付けられている。メインシャフト２２はリール本体１０内に配置され、且つ、クランク２１により回転駆動されて図中では左右方向（Ｘ）である第１の軸線（Ｌ１）を回転軸として回転可能に構成されている。
【００１８】
図２及び図３に示されているこの実施形態において、クランク２１は手動で操作されるものであり、駆動端部２１１と駆動端部２１１の反対側にあるクランク端部２１２とを有している。クランク端部２１２はメインシャフト２２（図５参照）の右端２２１に接続されているため、駆動端２１１の円運動でメインシャフト２２を回転駆動するようになっている。
【００１９】
管状ワーム２４は、メインシャフト２２により、図中では前後方向（Ｙ）である第２の軸線（Ｌ２)を回転軸として回転駆動されるように配置構成されている。図３及び図５に示されているように、管状ワーム２４は、後管状端部２４１と、第２の軸線（Ｌ２）方向において該後管状端部２４１の反対側にある前管状端部２４２と、を有している。
【００２０】
図３〜図５に示されているこの実施形態において、駆動ユニット２は更に出力ホイール２３を有している。出力ホイール２３はメインシャフト２２と共に第１の軸線（Ｌ１）を回転軸として回転可能にメインシャフト２２に取り付けられていると共に、管状ワーム２４と噛み合ってメインシャフト２２からの駆動力を管状ワーム２４に伝達する。
【００２１】
ローター５０はリール本体１０の前側に配置され、且つ、管状ワーム２４と共に第２の軸線（Ｌ２）を回転軸として回転するように配置構成されている。図３と図５に示されているこの実施形態において、管状ワーム２４の前管状端部２４２はローター５０に取り付けられ、ローター５０は管状ワーム２４と共に前記第２の軸線（Ｌ２）を中心として回転する。
【００２２】
スプールユニット６０は、スプール手段６１とスプールロッド６２とを有している。スプールロッド６２は第２の軸線（Ｌ２）に沿って管状ワーム２４内を通過するように延伸し、両端に第１のロッド端部６２１と第２のロッド端部６２２とを有している。スプール手段６１は、スプールロッド６２の第１のロッド端部６２１に取り付けられて該スプールロッド６２と共に移動する。
【００２３】
揺動ユニット３０は、回転シャフト３２と、連動ユニット３３と、カム手段３００（図５及び図９参照）と、を有している。
【００２４】
回転シャフト３２は、管状ワーム２４により、第２の軸線（Ｌ２）に平行し且つ距離を置いて配置される所定の第３の軸線（Ｌ３）を回転軸として回転駆動されるように配置構成されている。
【００２５】
連動ユニット３３は、第１の連動部３３１と第２の連動部３３２とを有している。
【００２６】
第１の連動部３３１は、第１のロッド端部６２１に連結してスプールユニット６０と共に第２の軸線（Ｌ２）に沿って移動できる。図３、図５、及び図８に示されているこの実施形態において、第１の連動部３３１にはスプラインホール３３９が形成されており、スプールロッド６２の第１のロッド端部６２１は、スプラインホール３３９に嵌め込まれている。
【００２７】
第２の連動部３３２は、第３の軸線（Ｌ３）に沿って連動部３３２の前端面３３３から後端面３３４まで延伸し、回転シャフト３２が通過する通孔３３０を囲む内周面３３５を有している。図５に示されているこの実施形態において、第２の連動部３３２は、通孔３３０と連通し、且つ、第３の軸線（Ｌ３）に沿って放射状に延伸する放射状穴３３６が形成されておいる。
【００２８】
カム手段３００はカム溝３２２とカム従動子３４とを有している。カム溝３２２は、前記回転シャフト３２の外周面３２１に形成されている。カム従動子３４は、通孔３３０内に配置されてカム溝３２２に嵌合して連動する。回転シャフト３２が回転駆動されると、カム手段３００及びカム従動子３４の連動により第２の連動部３３２が回転シャフト３２に対して第３の軸線（Ｌ３）に沿って往復移動させると共に、第１の連動部３３１及びスプールユニット６０をローター５０に対して第２の軸線（Ｌ２）に沿って往復移動させることができる。
【００２９】
図５に示されているこの実施形態において、カム溝３２２は渦巻き状（エンドレススパイラル）に延伸する溝に形成されており、カム従動子３４は、回転可能に放射状穴３３６内に取り付けられていると共に、通孔３３０内に延伸してカム溝３２２に嵌合する従動端部３４１を有している。
【００３０】
図３〜図５に示されているこの実施形態において、揺動ユニット３０は回転シャフト３２に取り付けられて回転シャフト３２と共に回転し、且つ、管状ワーム２４と噛み合って管状ワーム２４からの駆動力を回転シャフト３２に伝達するワーム手段３１を更に有することができる。
【００３１】
案内ユニット４０は、案内スリーブ４１を有している。案内スリーブ４１は回転シャフト３２と連動ユニット３３の第２の連動部３３２との間に配置され、第２の連動部３３２に連結されて連動ユニット３３と共に移動し、且つ、第２の連動部３３２を回転シャフト３２と共に回転させないように阻止することにより、連動ユニット３３の前記回転シャフト３２に対する相対移動が安定するよう案内する。
【００３２】
図４〜図６に示されているこの実施形態において、案内スリーブ４１は前拡大端部４１１とスリーブ部４１２とを有し、そして案内ユニット４０は付勢バネ４２を更に有している。前拡大端部４１１は第２の連動部３３２の前方に配置されており、スリーブ部４１２は通孔３３０内に収容され、且つ、カム従動子３４が通過してカム溝３２２にアクセスできるアクセス穴４１８が形成されている。
【００３３】
付勢バネ４２は、スリーブ部４１２に取り付けられていると共に、前拡大端部４１１と第２の連動部３３２との間に介在して前拡大端部４１１を第２の連動部３３２から離れさせる付勢力を前拡大端部４１１及び第２の連動部３３２に与えることにより、案内スリーブ４１が連動ユニット３３の往復移動を安定させる案内効果を発揮する。また、この実施形態において、付勢バネ４２は圧縮コイルばねである。
【００３４】
図５及び図６に示されているこの実施形態において、案内スリーブ４１のスリーブ部４１２は、中間部４１３と、後端部４１４と、複数のスリット４１７と、を有している。中間部４１３は、第２の連動部３３２の通孔３３０内に配置されている。アクセス穴４１８は、中間部４１３に形成されている。後端部４１４は、中間部４１３から外側及び後側へ張り出して通孔３３０より径が少し広くなるように形成されている。複数のスリット４１７は、いずれも第３の軸線（Ｌ３）と間を空けるように後端部４１４から中間部４１３に延伸して形成されている。この構成は、後端部４１４が第２の連動部３３２の内周面３３５に摩擦接触することにより、スリーブ部４１２を通孔３３０内に保持することができる。
【００３５】
図５〜図７及び図９に示されているこの実施形態において、第２の連動部３３２の内周面３３５は、主表面エリア３３７と、主表面エリア３３７へ収束する後周縁エリア３３８とを有するように形成され、通孔３３０内において前記案内スリーブ４１の後端部４１４を締め付けて前記内周面３３５に摩擦接触させる。
【００３６】
以上、本発明の好ましい実施形態を説明したが、本発明はこれらに限定されるものではなく、最も広い解釈の精神および範囲内に含まれる様々な構成として、全ての修飾および均等な構成を包含するものとする。
【産業上の利用可能性】
【００３７】
本発明は案内スリーブ４１を用いて連動ユニット３３の回転シャフト３２と同軸である往復移動を案内するので、スピニングリール全体の小型化を図ることができる。更に、案内スリーブ４１に複数のスリット４１７が形成さいるため放射状に変形可能であるので、案内スリーブ４１と回転シャフト３２との間、もしくは案内スリーブ４１と第２の連動部３３２との間の隙間をなくすことができ、振動を抑えて安定して操作することができる。
【符号の説明】
【００３８】
１０      リール本体
２０      駆動ユニット
２１      クランク
２１１    駆動端部
２１２    クランク端部
２２      メインシャフト
２２１    右端
２３      ホイール
２４      管状ワーム
２４１    後管状端部
２４２    前管状端部
３０      揺動ユニット
３００    カム手段
３１      ワーム手段
３２      回転シャフト
３２１    外周面
３２２    カム溝
３３      連動ユニット
３３０    通孔
３３１    第１の連動部
３３２    第２の連動部
３３３    前端面
３３４    後端面
３３５    内周面
３３６    放射状穴
３３７    主表面エリア
３３８    後周縁エリア
３３９    スプラインホール
３４      カム従動子
３４１    従動端部
４０      案内ユニット
４１      案内スリーブ
４１１    前拡大端部
４１２    スリーブ部
４１３    中間部
４１４    後端部
４１７    複数のスリット
４１８    アクセス穴
４２      付勢バネ
５０      ローター
６０      スプールユニット
６１      スプール手段
６２      スプールロッド
６２１    第１のロッド端部
Ｌ１      第１の軸線
Ｌ２      第２の軸線
Ｌ３      第３の軸線
【図１】
2019201639.tif 000003
【図２】
2019201639.tif 000004
【図３】
2019201639.tif 000005
【図４】
2019201639.tif 000006
【図５】
2019201639.tif 000007
【図６】
2019201639.tif 000008
【図７】
2019201639.tif 000009
【図８】
2019201639.tif 000010
【図９】
2019201639.tif 000011